(57)【要約】【課題】ＬＥＤランプを設置した位置における強度を高め、断裂や破損が発生し難いＬＥＤ棒状照明装置を提供すること。【解決手段】可撓性を有し、複数のＬＥＤランプ１３を配置してあり、ＬＥＤランプ１３を設置した位置に、湾曲時の応力に対する該位置の強度を増すための補強部４０を設けてある。長手方向両端に、オス接続部材のピン状端子と電気的に接続可能なメス挿入穴をそれぞれ形成すると良い。【選択図】図８
2008108728.tif 000002
【特許請求の範囲】
【請求項１】
可撓性を有し、複数のＬＥＤランプを配置したＬＥＤ棒状照明装置において、前記ＬＥＤランプを設置した位置に、湾曲時の応力に対する該位置の強度を増すための補強部を設けてあることを特徴としたＬＥＤ棒状照明装置。
【請求項２】
長手方向両端に、オス接続部材のピン状端子と電気的に接続可能なメス挿入穴をそれぞれ形成してある請求項１に記載のＬＥＤ棒状照明装置。
【請求項３】
前記補強部が、前記ＬＥＤランプとその周辺機器をカバーする面積を有する請求項１又は２に記載のＬＥＤ棒状照明装置。
【請求項４】
帯状のフレキシブル基板と、該フレキシブル基板に配設された導線と、前記フレキシブル基板の一面に設置されて前記導線に接続された複数のＬＥＤランプと、前記フレキシブル基板及びＬＥＤランプの外側を覆うゲル状棒体とを備え、前記補強部が硬質保護片より成る請求項１〜３のいずれかに記載のＬＥＤ棒状照明装置。
【請求項５】
前記硬質保護片を前記フレキシブル基板の他面側に設けた請求項４に記載のＬＥＤ棒状照明装置。
【請求項６】
前記硬質保護片を前記フレキシブル基板の一面側に設け、前記硬質保護片に前記ＬＥＤランプを収容するための収容空間を穿設した請求項４に記載のＬＥＤ棒状照明装置。
【請求項７】
帯状のフレキシブル基板と、該フレキシブル基板に配設された導線と、該導線に接続された複数の２ピンタイプのＬＥＤランプと、前記フレキシブル基板の外側を覆うゲル状棒体とを備え、前記補強部が硬質保護片より成る請求項１〜３のいずれかに記載のＬＥＤ棒状照明装置。
【請求項８】
前記硬質保護片に、前記ＬＥＤランプを収容する収容凹部を形成した請求項７に記載のＬＥＤ棒状照明装置。
【請求項９】
前記硬質保護片を板状とし、該硬質保護片を前記フレキシブル基板に対して前記ＬＥＤランプのピン接続側或いはその逆側に設置した請求項７に記載のＬＥＤ棒状照明装置。
【請求項１０】
帯状のフレキシブル基板と、該フレキシブル基板に配設された導線と、該導線に接続された複数のＬＥＤランプと、前記フレキシブル基板及びＬＥＤランプの外側を覆うゲル状棒体とを備え、前記ＬＥＤランプとその周辺機器とを近接させて硬質回路板より成る補強部の一面に設置し、該硬質回路板を前記フレキシブル基板の一面にハンダ付けしてある請求項３に記載のＬＥＤ棒状照明装置。
【請求項１１】
帯状のフレキシブル基板と、該フレキシブル基板に配設された導線と、前記フレキシブル基板の一面に設置されて前記導線に接続された複数のＬＥＤランプと、前記フレキシブル基板の一面に設置されて前記ＬＥＤランプと導線との間に介在された複数の抵抗と、前記フレキシブル基板、抵抗及びＬＥＤランプの外側を覆うゲル状棒体とを備え、前記ＬＥＤランプの上方又は下方には、前記ゲル状棒体と一体の増厚部より成る前記補強部が形成されている請求項１〜３のいずれかに記載のＬＥＤ棒状照明装置。
【発明の詳細な説明】
【技術分野】
【０００１】
本発明は、簡単に接続でき、耐せん断力が大きく、応力が集中し難いＬＥＤ棒状照明装置に関する。
【背景技術】
【０００２】
一般的なＬＥＤ棒状照明装置は、図１〜図３に示すように、帯状のフレキシブル基板１６、フレキシブル基板１６に配設された導線１８（正極及び負極の導線１８Ａ，１８Ｂ）、導線１８に接続された複数のＬＥＤランプ１３、複数の抵抗１４（図１には示していない）並びに外側を覆うゲル状棒体１７を備える。
図３に示すように、各ＬＥＤランプ１３の両極の端子がそれぞれ導線１８に接続され、一方の極と導線１８との間には抵抗１４を介在してある。
【０００３】
図１は、２ピンタイプのＬＥＤランプ１３を設置したＬＥＤ棒状照明装置１Ａを示す。このＬＥＤ棒状照明装置１Ａでは、ＬＥＤランプ１３の二つのピンがフレキシブル基板１６の片側に配置され、導線１８Ａ，１８Ｂがフレキシブル基板１６の両面にそれぞれ配設され、加工しやすくなっている。
ＬＥＤランプ１３の一方のピンは、直接ハンダ１５で同じ側の導線１８Ｂに接続され、他方のピンは、フレキシブル基板１６に形成された孔を介して、他側の導線１８Ａにハンダ付けされている。
そして、ＬＥＤランプ１３の回路接続が終了した後、樹脂を注入してゲル状棒体１７を形成し、ＬＥＤ棒状照明装置１Ａが完成する。
【０００４】
図２に示す接着式（ＳＭＴ）のＬＥＤ棒状照明装置１Ｂでは、フレキシブル基板１６の下面に導線１８Ａ，１８Ｂが配設され、ＬＥＤランプ１３がフレキシブル基板１６の上面に接着されている。
また、フレキシブル基板１６のＬＥＤランプ１３と対応する位置には正負極用の二つの孔を形成してあり、これらの孔を介してＬＥＤランプ１３の二つの極が導線１８Ａ，１８Ｂに接続されている。
このＬＥＤ棒状照明装置１Ｂは、全体の体積が小さいので、ゲル状棒体１７を形成するために注入する樹脂の量が少なくて済む。
【０００５】
ところで、このようなＬＥＤ棒状照明装置は優れた可撓性を備えているため、必要に応じて湾曲させることができるが、図６に示すように、往々にして湾曲時にＬＥＤランプ１３の設置箇所が断裂してしまうという不具合が生ずる。
これは、図７及び図１４に示すように、ＬＥＤランプ１３を設置した箇所で、ゲル状棒体１７の断面積が最も小さくなっているので、湾曲されるとこの部分に応力が集中するためである。
【０００６】
また、通常、ＬＥＤ棒状照明装置の電源入力端は、２本の電源入力端子又は線材によって電源供給器に接続するのであるが、複数のＬＥＤ棒状照明装置を接続する場合には、その数に対応する本数の線材を電源供給器から延ばして接続しなければ成らない。
従って、ＬＥＤ棒状照明装置の数が多くなるほど、末端のＬＥＤ棒状照明装置を接続している線材が長くなり、この結果、発生する抵抗が大きくなるだけでなく、線材の数が増えて、専門業者による施工が必要になると共に、施工に要する時間も長くなり、美観にも欠ける。
【０００７】
さらに、ＬＥＤ棒状照明装置の一端にメスの挿入穴が設けられ、他端にオスの接続端子が設けられて、メスの挿入穴とオスの接続端子とを係合してＬＥＤ棒状照明装置どうしを接続できるものもある。
しかし、このＬＥＤ棒状照明装置は、接続する際に正しい向きに並べなければならず、オスの接続端子が外部に突出しているので、外力を受けて湾曲したり、破断したり、水分に接触しやすいという欠点がある。
【発明の開示】
【発明が解決しようとする課題】
【０００８】
本発明が解決しようとする課題は、ＬＥＤランプを設置した位置における強度を高め、断裂や破損が発生し難いＬＥＤ棒状照明装置を提供することにある。
【課題を解決するための手段】
【０００９】
本発明は、可撓性を有し、複数のＬＥＤランプを配置したＬＥＤ棒状照明装置に関し、前記ＬＥＤランプを設置した位置に、湾曲時の応力に対する該位置の強度を増すための補強部を設けてある。
長手方向両端に、オス接続部材のピン状端子と電気的に接続可能なメス挿入穴をそれぞれ形成すると良い。
前記補強部が、前記ＬＥＤランプとその周辺機器をカバーする面積を有することもある。
【００１０】
ＬＥＤ棒状照明装置は、帯状のフレキシブル基板と、該フレキシブル基板に配設された導線と、前記フレキシブル基板の一面に設置されて前記導線に接続された複数のＬＥＤランプと、前記フレキシブル基板及びＬＥＤランプの外側を覆うゲル状棒体とを備え、前記補強部は硬質保護片とすることがある。
この時、前記硬質保護片を前記フレキシブル基板の他面側に設けても良いし、前記フレキシブル基板の一面側に設け、該硬質保護片に前記ＬＥＤランプを収容するための収容空間を穿設しても良い。
【００１１】
また、ＬＥＤ棒状照明装置は、帯状のフレキシブル基板と、該フレキシブル基板に配設された導線と、該導線に接続された複数の２ピンタイプのＬＥＤランプと、前記フレキシブル基板の外側を覆うゲル状棒体とを備え、硬質保護片より成る補強部を設けることもある。
前記硬質保護片に、前記ＬＥＤランプを収容する収容凹部を形成しても良い。
或いは、前記硬質保護片を板状とし、該硬質保護片を前記フレキシブル基板に対して前記ＬＥＤランプのピン接続側或いはその逆側に設置しても良い。
【００１２】
さらに、ＬＥＤ棒状照明装置は、帯状のフレキシブル基板と、該フレキシブル基板に配設された導線と、該導線に接続された複数のＬＥＤランプと、前記フレキシブル基板及びＬＥＤランプの外側を覆うゲル状棒体とを備え、前記ＬＥＤランプとその周辺機器とを近接させて硬質回路板より成る補強部の一面に設置し、該硬質回路板を前記フレキシブル基板の一面にハンダ付けすることがある。
また、帯状のフレキシブル基板と、該フレキシブル基板に配設された導線と、前記フレキシブル基板の一面に設置されて前記導線に接続された複数のＬＥＤランプと、前記フレキシブル基板の一面に設置されて前記ＬＥＤランプと導線との間に介在された複数の抵抗と、前記フレキシブル基板、抵抗及びＬＥＤランプの外側を覆うゲル状棒体とを備え、前記ＬＥＤランプの上方又は下方には、前記ゲル状棒体と一体の増厚部より成る前記補強部を形成することもある。
【発明の効果】
【００１３】
本発明によれば、ＬＥＤランプを設置した位置ではゲル状棒体の断面積が小さくなっているが、補強部を設けることにより、湾曲時に加わる応力に対するこの位置の強度が高まっているので、繰り返し湾曲させたり、長期間使用しても、ＬＥＤランプ設置位置でゲル状棒体が断裂する心配が無く、また、ＬＥＤランプが保護されて、ゲル状棒体の伸縮により故障するのを防止することができる。
【発明を実施するための最良の形態】
【００１４】
図８は、本発明の実施例１を示す。
本実施例のＬＥＤ（発光ダイオード）棒状照明装置１の基本的な構造は、従来の接着式ＬＥＤ棒状照明装置とほぼ同じであり、帯状のフレキシブル基板１６と、フレキシブル基板１６に配設された導線と、フレキシブル基板１６の一面に設置されて導線に接続された複数のＬＥＤランプ１３と、フレキシブル基板１６及びＬＥＤランプ１３の外側を覆うゲル状棒体１７とを備える。
【００１５】
ゲル状棒体１７には、フレキシブル基板１６を収容する保護パッド１９が設けられ、保護パッド１９の内部において、ＬＥＤランプ１３を配置した個所には、板状の硬質保護片４０より成る補強部が埋設されている。
硬質保護片４０は、フレキシブル基板１６を挟んでＬＥＤランプ１３と逆側に配置され、ＬＥＤランプ１３をカバーできる面積を有するので、湾曲により、ＬＥＤランプ１３を設置した箇所でゲル状棒体１７が断裂するのを防ぐ。また、ゲル状棒体１７が使用時の外力や温度変化により伸縮しても、ＬＥＤランプ１３が圧迫されたり引っ張られて故障するのを防止できる。
【００１６】
図９〜図１２は、本発明の実施例２を示す。
図９に示すように、フレキシブル基板１６の一面側において、ＬＥＤランプ１３を設置した箇所に板状の硬質保護片４０を設置してある。
図１０に示す硬質保護片４０には、ＬＥＤランプ１３を露出させるために、周囲が閉鎖された収容空間４０Ａを穿設してある。
また、図１１に示す硬質保護片４０には、一方が開口した収容空間４０Ｂが形成され、硬質保護片４０の全体形状がコ字形となっている。
【００１７】
図１２に示す硬質保護片４０には、周囲が閉鎖された収容空間４０Ａが穿設され、収容空間４０Ａの周縁に複数の棒材４０Ｃを設置してある。棒材４０Ｃの先端にはフックを形成してもよい。
これらの棒材４０ＣをＬＥＤランプ１３に係止することにより、ゲル状棒体１７を形成する過程において、注入される樹脂により硬質保護片４０が移動して位置がずれるのを防ぐことができる。
その他の構成は、実施例１と変わるところが無い。
なお、実施例１及び２において、硬質保護片４０は、ＬＥＤランプ１３の近傍に配置された抵抗等の周辺機器をカバーできる大きさとし、周辺機器を保護することもできる。
【００１８】
図１５及び図１６は、本発明の実施例３を示す。
本実施例のＬＥＤ棒状照明装置１の基本的な構造は、従来の２ピンＬＥＤランプ搭載型のＬＥＤ棒状照明装置と同様であり、帯状のフレキシブル基板１６と、フレキシブル基板１６に配設された導線と、導線に接続された複数の２ピンタイプのＬＥＤランプ１３と、フレキシブル基板１６の外側を覆うゲル状棒体１７とを備える。
ＬＥＤランプ１３の発光部分はゲル状棒体１７の外面に配置され、ゲル状棒体１７の内部においてＬＥＤランプ１３を配置した箇所には、硬質保護片４１より成る補強部を設置してある。
【００１９】
硬質保護片４１は、断面コ字形に形成され、ＬＥＤランプ１３側及びゲル状棒体１７の両端側に開口した収容凹部４２を有する。そして、この収容凹部４２にフレキシブル基板１６を通すと共に、ＬＥＤランプ１３のピンを収容し、この部分のゲル状棒体１７を補強すると共に、ＬＥＤランプ１３を保護している。
なお、硬質保護片４１を板状とし、フレキシブル基板１６と平行に、ＬＥＤランプ１３のピンを接続した側或いはその逆側に配置しても良い。
また、硬質保護片４１は、ＬＥＤランプ１３の近傍に配置された抵抗等の周辺機器をカバーできる大きさとすることもできる。
【００２０】
図１７及び図１８は、本発明の実施例４を示す。
ＬＥＤランプ１３及び抵抗等の周辺機器３１を近接させて硬質回路板３０より成る補強部の一面に設置し、硬質回路板３０をフレキシブル基板１６の一面に載置してハンダ付けしてある。
本実施例では、硬質回路板３０がゲル状棒体１７を補強しているだけでなく、ＬＥＤランプ１３と周辺機器３１を近接して硬質回路板３０上に装着してあるので硬質回路板３０間の機器が装着されていない部分の間隔Ｚが、図２に示す従来例の抵抗１４間の間隔Ｗよりも長くなり、この結果、ＬＥＤ棒状照明装置１を湾曲させる際の自由度が増す。
その他の構成は、実施例１及び２と同様である。
【００２１】
図１９及び図２０は、本発明の実施例５を示す。
本実施例のＬＥＤ棒状照明装置１は、実施例１及び２とほぼ同じ構造を有するが、硬質回路板４０を設けておらず、ＬＥＤランプ１３の設置箇所の上方に、ゲル状棒体１７と一体の増厚部１７１より成る補強部を形成することにより補強してある。
或いは、図２１及び図２２に示す実施例６のように、ゲル状棒体１７の増厚部１７２を、フレキシブル基板１６よりも下方においてＬＥＤランプ１３を設置した箇所に形成しても良い。
実施例５及び６においても、増厚部１７１は、ＬＥＤランプ１３の近傍に配置された抵抗等の周辺機器をカバーする面積にすることができる。
【００２２】
図４及び図５は、上記各実施例のＬＥＤ棒状照明装置１の接続構造を示す。
図４に示すように、ＬＥＤ棒状照明装置１の両端には、それぞれ複数（本実施例では４個）のメス挿入穴１２を形成し、オス接続部材２を介して接続できるようになっている。
オス接続部材２の両側には、それぞれメス挿入穴１２と同数のピン状端子２１が逆向きに突出しており、ピン状端子２１をメス挿入穴１２に挿入すると、ＬＥＤ棒状照明装置１の導線とオス接続部材のピン状端子２１とが電気的に接続される。
【００２３】
従って、１つのオス接続部材２によって２本のＬＥＤ棒状照明装置１を電気的に接続することができ、図５に示すように、オス接続部材２を間に挟みながら複数のＬＥＤ棒状照明装置１を一列に接続して、接続した全てのＬＥＤ棒状照明装置１に電力を供給することができる。
このため、ＬＥＤ棒状照明装置１の両端には雌雄の区別が無くどちらに向けても接続することができ、ＬＥＤ棒状照明装置１どうしの接続作業が簡単で、多数の導線が露出して美観を損なうことも無い。
【図面の簡単な説明】
【００２４】
【図１】従来の２ピンＬＥＤランプを設置したＬＥＤ棒状照明装置の斜視図。
【図２】従来の接着式ＬＥＤ棒状照明装置の斜視図。
【図３】従来のＬＥＤ棒状照明装置の回路図。
【図４】本発明のＬＥＤ棒状照明装置の接続構造を示す分解斜視図。
【図５】本発明のＬＥＤ棒状照明装置の接続状態における平面図。
【図６】従来のＬＥＤ棒状照明装置の断裂状態における斜視図。
【図７】図６のＡ−Ａ’断面図。
【図８】本発明の実施例１を示すＬＥＤ棒状照明装置の断面図。
【図９】本発明の実施例２を示すＬＥＤ棒状照明装置の斜視図。
【図１０】実施例２に係る硬質保護片の第１の実施態様を示す斜視図。
【図１１】実施例２に係る硬質保護片の第２の実施態様を示す斜視図。
【図１２】実施例２に係る硬質保護片の第３の実施態様を示す斜視図。
【図１３】従来のＬＥＤ棒状照明装置の斜視図。
【図１４】図１３のＢ−Ｂ’断面図。
【図１５】本発明の実施例３を示すＬＥＤ棒状照明装置の斜視図。
【図１６】図１５のＣ−Ｃ’断面図。
【図１７】本発明の実施例４を示すＬＥＤ棒状照明装置の斜視図。
【図１８】本発明の実施例４を示すＬＥＤ棒状照明装置の断面図。
【図１９】本発明の実施例５を示すＬＥＤ棒状照明装置の側面図。
【図２０】図１９のＧ−Ｇ’断面図。
【図２１】本発明の実施例６を示すＬＥＤ棒状照明装置の側面図。
【図２２】図２１のＨ−Ｈ’断面図。
【符号の説明】
【００２５】
１，１Ａ，１Ｂ  ＬＥＤ棒状照明装置
１２  メス挿入穴
１３  ＬＥＤランプ
１４  抵抗
１５  ハンダ
１６  フレキシブル基板
１７  ゲル状棒体
１７１，１７２  増厚部（補強部）
１８，１８Ａ，１８Ｂ  導線
１９  保護パッド
２  オス接続部材
２１  ピン状端子
３０  硬質回路板（補強部）
３１  周辺機器
４０，４１  硬質保護片（補強部）
４０Ａ，４０Ｂ  収容空間
４０Ｃ  棒材
４２  収容凹部
【図１】
2008108728.tif 000003
【図２】
2008108728.tif 000004
【図３】
2008108728.tif 000005
【図４】
2008108728.tif 000006
【図５】
2008108728.tif 000007
【図６】
2008108728.tif 000008
【図７】
2008108728.tif 000009
【図８】
2008108728.tif 000010
【図９】
2008108728.tif 000011
【図１０】
2008108728.tif 000012
【図１１】
2008108728.tif 000013
【図１２】
2008108728.tif 000014
【図１３】
2008108728.tif 000015
【図１４】
2008108728.tif 000016
【図１５】
2008108728.tif 000017
【図１６】
2008108728.tif 000018
【図１７】
2008108728.tif 000019
【図１８】
2008108728.tif 000020
【図１９】
2008108728.tif 000021
【図２０】
2008108728.tif 000022
【図２１】
2008108728.tif 000023
【図２２】
2008108728.tif 000024